【手続補正書】
【提出日】平成30年11月13日(2018.11.13)
【手続補正１】
【補正対象書類名】特許請求の範囲
【補正対象項目名】全文
【補正方法】変更
【補正の内容】
【特許請求の範囲】
【請求項１】
体積ホログラム層と、部分不透明層とを備え、
前記部分不透明層は、前記体積ホログラム層の面に配置され、第１エリアに存在し、第２エリアに存在しないことを特徴とする多層体。
【請求項２】
前記多層体は、装飾プライを備え、
前記部分不透明層は、前記体積ホログラム層と前記装飾プライとの間に配置されていることを特徴とする請求項１に記載の多層体。
【請求項３】
前記不透明層は、ＣＩＥＬＡＢ色空間において０〜５０、好ましくは０〜３０の輝度Ｌ*を有し、及び／又は、前記不透明層の前記第１エリアは、前記体積ホログラム層の１％〜９９％、好ましくは５０％〜９５％を覆うことを特徴とする請求項１又は２に記載の多層体。
【請求項４】
前記不透明層は、少なくとも１つの染料、顔料、又は、効果顔料を備え、及び／又は、前記不透明層は、熱可塑性ニスを備え、及び／又は、前記不透明層は、１μｍ〜５μｍ、好ましくは１μｍ〜３μｍの厚さを有することを特徴とする請求項１〜３のいずれか１項に記載の多層体。
【請求項５】
前記第１及び／又は第２のエリアは、少なくともグラフィックエレメント、特に、モチーフ、イメージ、シンボル、ロゴ、及び／又は、英数字を形成し、
好ましくは、前記グラフックエレメントは、エンドレスモチーフ及び／又は個別のイメージモチーフを備え、及び／又は、前記体積ホログラム層のグラフィックエレメントに対して配置されていることを特徴とする請求項１〜４のいずれか１項に記載の多層体。
【請求項６】
前記体積ホログラム層は、５μｍ〜１００μｍ、好ましくは１５μｍ〜２５μｍの厚さを有することを特徴とする請求項１〜５のいずれか１項に記載の多層体。
【請求項７】
前記装飾プライは、透明なカラーニス層を備え、
好ましくは、前記カラーニス層は、少なくとも１つの染料、顔料、効果顔料、薄膜システム、及び／又は、コレステリック液晶システムを備えることを特徴とする請求項２〜６のいずれか１項に記載の多層体。
【請求項８】
前記カラーニス層及び／又は前記不透明層は、前記体積ホログラム層の基調色に対する補色に着色されていることを特徴とする請求項１〜７のいずれか１項に記載の多層体。
【請求項９】
前記装飾プライは、特に、熱可塑性又はＵＶ硬化ニスからなる複製層であるか、あるいは当該複製層を備え、前記複製層は表面レリーフを備え、及び／又は、前記装飾プライは、反射層を備えることを特徴とする請求項２〜８のいずれか１項に記載の多層体。
【請求項１０】
前記多層体は、前記体積ホログラム層が塗布される基板を備え、
好ましくは、前記基板は、特に、ＰＥＴ、ＰＥＮ、又は、ＢＯＰＰからなるキャリアプライを備え、前記キャリアプライは、前記体積ホログラム層と反対側の基板の面に配置され、  
好ましくは、前記キャリアプライは、６μｍ〜５０μｍ、好ましくは１２μｍ〜５０μｍの厚さを有することを特徴とする請求項１〜９のいずれか１項に記載の多層体。
【請求項１１】
特に、請求項１〜１０のいずれか１項に記載の多層体の製造方法であって、
体積ホログラム層を設け、
前記体積ホログラム層の面に部分不透明層を塗布し、
前記部分不透明層は第１エリアに塗布され、第２エリアに塗布されず、
好ましくは、更なる製造ステップにおいて、装飾プライが前記体積ホログラム層と反対側の前記部分不透明層の面に塗布されていることを特徴とする製造方法。
【請求項１２】
請求項１〜１０のいずれか１項に記載の多層体を備えることを特徴とするセキュリティエレメント。
【請求項１３】
請求項１２に記載のセキュリティエレメントを備えることを特徴とするセキュリティドキュメント、特に、身元証明書類、パスポート、査証、運転免許証、クレジットカード、紙幣。
【請求項１４】
前記セキュリティドキュメントは、前記セキュリティエレメントが塗布されている装飾プライを有する基板を備え、
好ましくは、前記セキュリティドキュメントの前記装飾プライは、透明カラーニス層であり、
好ましくは、前記カラーニス層は、少なくとも１つの染料、顔料、効果顔料、薄膜システム、及び／又は、コレステリック液晶システムを備え、及び／又は、前記セキュリティエレメントの前記体積ホログラム層の基調色に対する補色に着色されていることを特徴とする請求項１３に記載のキュリティドキュメント。
【請求項１５】
前記セキュリティドキュメントの前記装飾プライは、熱可塑性、又は、ＵＶ硬化ニスからなる複製層であるか、あるいは当該複製層を備え、前記複製層は表面レリーフを備え、及び／又は、前記セキュリティドキュメントの装飾プライは、反射層を備えることを特徴とする請求項１４に記載のセキュリティドキュメント。
【手続補正２】
【補正対象書類名】明細書
【補正対象項目名】００９７
【補正方法】変更
【補正の内容】
【００９７】
体積ホログラム層１４が配置された接着促進層１３は、保護ニス層１２上に構成されている。この体積ホログラム層には、基板１１と反対側の面にシールワックス層１５が設けられている。透明開口１６１を有する部分不透明ニス層１６は、シール層１５に塗布されている。図１に示された実施例の装飾プライ１７は、透明ニス層１７１、複製ニス層１７２、及び、反射層１７３を備え、基板と反対側の不透明ニス層１６の面に接触している。
【手続補正３】
【補正対象書類名】明細書
【補正対象項目名】０１０７
【補正方法】変更
【補正の内容】
【０１０７】
体積ホログラム層１４はＵＶ硬化であり、その結果、保護層１２は、ＵＶ硬化に設計さ
れ、特に良好な接着性を達成することが好ましい。保護層が熱可塑性の場合、保護層１２
と体積ホログラム層１４との間に配置された接着促進層１３は特に有益である。
【手続補正４】
【補正対象書類名】明細書
【補正対象項目名】０１２４
【補正方法】変更
【補正の内容】
【０１２４】
熱可塑性、ＵＶ硬化性、又は、熱硬化性として形成することができる単層又は多層接着
層１８が反射層１７３に塗布される。接着層の異なる部分層は、異なる作用を満たし、例えば、隣接層又は多層体が塗布される対象物への接着を促進する。隣接層から及び／又は隣接層への物質の拡散に対するバリア層として機能することもできる。
【手続補正５】
【補正対象書類名】明細書
【補正対象項目名】０１３１
【補正方法】変更
【補正の内容】
【０１３１】
装飾プライ１７及び不透明層１６を部分的に完全に省略し、体積ホログラム層１４を部分的に透明に設計することもできる。例えば、体積ホログラム層１４は、この部分では、基板１１の白紙又はプラスチックからなる明るい背景に配置されている。体積ホログラム層１４は、他の部分では不透明層１６又は装飾プライ１７により覆われている。これにより、特別な光学効果を体積ホログラム層１４によりもたらすことができる。体積ホログラム層１４は、省略部分では、隣接部分よりも低い輝度を有する。体積ホログラム層１４は、不透明層１６と装飾プライ１７とにより高い輝度を有する。特に、両部分で重なる体積ホログラム層１４のデザインエレメントにより、これらのデザインエレエントの輝度は異なる背景により部分的に変化する。例えば、体積ホログラム層１４の連続ラインは、ある部分では低輝度を有し、隣接部分では高輝度を有し、両ライン部分は、互いに正確に配置される。
【手続補正６】
【補正対象書類名】明細書
【補正対象項目名】０１３２
【補正方法】変更
【補正の内容】
【０１３２】
不透明層が存在しない不透明層１６の第２エリア１６１において、部分的に、装飾プライ１７を省略し、これらのエリアにおいて、基板１１を視認可能とすることができる。すなわち、基板１１は、体積ホログラム層１４の背景を形成する。例えば、基板１１が明るい、特に、白、紙、又は、プラスチックの場合、体積ホログラム層１４の輝度は下がる又は減少する。
【手続補正７】
【補正対象書類名】明細書
【補正対象項目名】０１３３
【補正方法】変更
【補正の内容】
【０１３３】
しかしながら、基板１１は、カラー層又は他の装飾層を有し、これらの層は、少なくとも部分的に不透明層１６の第２エリア１６１及び透明な体積ホログラム層１４を介して視認可能となり、同様に、体積ホログラム層１４の背景を形成する。不透明層１６の第２エリア１６１を介して光る基板１１により、特徴的且つ偽造が難しい光学効果をもたらすことができる。